(57)【要約】      （修正有）【課題】画素の開口率及び表示品位を低下させることなく、狭額縁化を図ることができる表示装置を提供する。【解決手段】水平方向に延在する複数のゲート線ＧＬと、垂直方向に延在する複数のソース線と、ゲート信号を出力するゲートドライバ２２０と、ゲートドライバ２２０から出力されたゲート信号を複数のゲート線ＧＬに伝達する、垂直方向に延在する複数のゲート引出線ＧＤと、を含み、複数のゲート線ＧＬのそれぞれは、２本のゲート引出線ＧＤに電気的に接続される。【選択図】図３
2016071082.tif 000002
【特許請求の範囲】
【請求項１】
第１方向に延在する複数のゲート線と、
前記第１方向とは異なる第２方向に延在する複数のソース線と、
ゲート信号を出力するゲートドライバと、
前記ゲートドライバから出力された前記ゲート信号を前記複数のゲート線に伝達する、前記第２方向に延在する複数のゲート引出線と、を含み、
前記複数のゲート線のそれぞれは、少なくとも１本の前記ゲート引出線に電気的に接続され、
前記複数のゲート線のうち少なくとも１本の前記ゲート線は、少なくとも２本の前記ゲート引出線に電気的に接続される、
ことを特徴とする表示装置。
【請求項２】
前記複数のゲート線と前記複数のゲート引出線との間に形成される第１絶縁膜をさらに含み、
前記複数のゲート線及び前記複数のゲート引出線のそれぞれは、前記第１絶縁膜に形成されたコンタクトホールを介して互いに電気的に接続される、
ことを特徴とする請求項１に記載の表示装置。
【請求項３】
前記複数のゲート引出線のそれぞれの線幅は、前記複数のソース線のそれぞれの線幅以下であり、
平面的に見て、前記複数のゲート引出線のそれぞれは、前記複数のソース線のそれぞれに重なる、
ことを特徴とする請求項１に記載の表示装置。
【請求項４】
前記複数のゲート線と前記複数のソース線との間に形成される第２絶縁膜をさらに含み、
前記第１絶縁膜は、前記複数のゲート引出線の上に形成され、
前記複数のゲート線は、前記第１絶縁膜の上に形成され、
前記第２絶縁膜は、前記複数のゲート線の上に形成され、
前記複数のソース線は、前記第２絶縁膜の上に形成される、
ことを特徴とする請求項２に記載の表示装置。
【請求項５】
前記ゲートドライバが設けられる場所から遠い位置に配置される前記ゲート線に対して電気的に接続される前記ゲート引出線の本数は、前記ゲートドライバが設けられる場所に近い位置に配置される前記ゲート線に対して電気的に接続される前記ゲート引出線の本数よりも多い、
ことを特徴とする請求項１に記載の表示装置。
【請求項６】
前記ゲートドライバが設けられる場所から遠い位置に配置される第１ゲート線と前記ゲート引出線との接続部は、前記第１ゲート線よりも前記ゲートドライバが設けられる場所に近い位置に配置される第２ゲート線と前記ゲート引出線との接続部よりも表示領域の側面側に配置される、
ことを特徴とする請求項１に記載の表示装置。
【請求項７】
隣り合う２本の前記ソース線と隣り合う２本の前記ゲート線とこれらが交わる４つの交差部とで区画される画素領域において、画素電極に接続されるトランジスタは、前記ゲート線と前記ゲート引出線との接続部が位置する交差部とは異なる交差部に配置される、
ことを特徴とする請求項１に記載の表示装置。
【請求項８】
前記複数のゲート引出線のうち所定数のゲート引出線を表示領域外で束ねる複数の結束線をさらに含み、
前記複数の結束線のそれぞれは、前記ゲートドライバから出力された前記ゲート信号を前記所定数のゲート引出線に伝達する、
ことを特徴とする請求項１に記載の表示装置。
【請求項９】
前記複数の結束線のそれぞれは、隣り合う複数のゲート引出線を表示領域外で束ねる、
ことを特徴とする請求項８に記載の表示装置。
【請求項１０】
１本の前記ゲート線とこれに電気的に接続される複数の前記ゲート引出線との複数の接続部における該接続部同士の間隔は、他の前記ゲート線とこれに電気的に接続される複数の前記ゲート引出線との複数の接続部における該接続部同士の間隔と同一である、
ことを特徴とする請求項１に記載の表示装置。
【請求項１１】
前記ゲートドライバは、同一の前記ゲート線に電気的に接続される前記複数のゲート引出線に対して、同一の水平走査期間内に前記ゲート信号を出力する、
ことを特徴とする請求項１に記載の表示装置。
【請求項１２】
前記複数のゲート線のそれぞれは、前記第１方向に隣り合う複数の前記ゲート引出線に電気的に接続される、
ことを特徴とする請求項１に記載の表示装置。
【発明の詳細な説明】
【技術分野】
【０００１】
本発明は、表示装置に関する。
【背景技術】
【０００２】
従来、液晶表示装置等の表示装置において、表示領域の周囲の額縁領域の面積を小さくする（いわゆる狭額縁化）を実現するための技術が提案されている。例えば、特許文献１には、ゲート信号線駆動回路（ゲートドライバ）とソース信号線駆動回路（ソースドライバ）を表示領域の一方側に平行に配置することにより、狭額縁化を図る構成が開示されている。
【０００３】
また、特許文献１には、ゲート信号線駆動回路から出力されたゲート信号をゲート信号線に伝達する引き回し用ゲート信号線を、ソース信号線に重ねて配置することにより、画素の開口率の低下を防ぐ構成も開示されている。
【先行技術文献】
【特許文献】
【０００４】
【特許文献１】特開２００３−５８０７５号公報
【発明の概要】
【発明が解決しようとする課題】
【０００５】
しかしながら、特許文献１に開示された構成では、開口率の低下を防ぐために、引き回し用ゲート信号線の線幅をソース信号線の線幅よりも小さくしているため、引き回し用ゲート信号線におけるゲート信号に対する抵抗が、ゲート信号線におけるゲート信号に対する抵抗よりも大きくなる。このため、表示領域全体で高抵抗となり、表示ムラ等が生じ表示品位の低下を招くという問題がある。
【０００６】
本発明は、上記実情に鑑みてなされたものであり、その目的は、画素の開口率及び表示品位を低下させることなく、狭額縁化を図ることができる表示装置を提供することにある。
【課題を解決するための手段】
【０００７】
本発明に係る表示装置は、上記課題を解決するために、第１方向に延在する複数のゲート線と、前記第１方向とは異なる第２方向に延在する複数のソース線と、ゲート信号を出力するゲートドライバと、前記ゲートドライバから出力された前記ゲート信号を前記複数のゲート線に伝達する、前記第２方向に延在する複数のゲート引出線と、を含み、前記複数のゲート線のそれぞれは、少なくとも１本の前記ゲート引出線に電気的に接続され、前記複数のゲート線のうち少なくとも１本の前記ゲート線は、少なくとも２本の前記ゲート引出線に電気的に接続される、ことを特徴とする。
【０００８】
本発明に係る表示装置では、前記複数のゲート線と前記複数のゲート引出線との間に形成される第１絶縁膜をさらに含み、前記複数のゲート線及び前記複数のゲート引出線のそれぞれは、前記第１絶縁膜に形成されたコンタクトホールを介して互いに電気的に接続される。
【０００９】
本発明に係る表示装置では、前記複数のゲート引出線のそれぞれの線幅は、前記複数のソース線のそれぞれの線幅以下であり、平面的に見て、前記複数のゲート引出線のそれぞれは、前記複数のソース線のそれぞれに重なる。
【００１０】
本発明に係る表示装置では、前記複数のゲート線と前記複数のソース線との間に形成される第２絶縁膜をさらに含み、前記第１絶縁膜は、前記複数のゲート引出線の上に形成され、前記複数のゲート線は、前記第１絶縁膜の上に形成され、前記第２絶縁膜は、前記複数のゲート線の上に形成され、前記複数のソース線は、前記第２絶縁膜の上に形成される。
【００１１】
本発明に係る表示装置では、前記ゲートドライバが設けられる場所から遠い位置に配置される前記ゲート線に対して電気的に接続される前記ゲート引出線の本数は、前記ゲートドライバが設けられる場所に近い位置に配置される前記ゲート線に対して電気的に接続される前記ゲート引出線の本数よりも多い。
【００１２】
本発明に係る表示装置では、前記ゲートドライバが設けられる場所から遠い位置に配置される第１ゲート線と前記ゲート引出線との接続部は、前記第１ゲート線よりも前記ゲートドライバが設けられる場所に近い位置に配置される第２ゲート線と前記ゲート引出線との接続部よりも表示領域の側面側に配置される。
【００１３】
本発明に係る表示装置では、隣り合う２本の前記ソース線と隣り合う２本の前記ゲート線とこれらが交わる４つの交差部とで区画される画素領域において、画素電極に接続されるトランジスタは、前記ゲート線と前記ゲート引出線との接続部が位置する交差部とは異なる交差部に配置される。
【００１４】
本発明に係る表示装置では、前記複数のゲート引出線のうち所定数のゲート引出線を表示領域外で束ねる複数の結束線をさらに含み、前記複数の結束線のそれぞれは、前記ゲートドライバから出力された前記ゲート信号を前記所定数のゲート引出線に伝達する。
【００１５】
本発明に係る表示装置では、前記複数の結束線のそれぞれは、隣り合う複数のゲート引出線を表示領域外で束ねる。
【００１６】
本発明に係る表示装置では、１本の前記ゲート線とこれに電気的に接続される複数の前記ゲート引出線との複数の接続部における該接続部同士の間隔は、他の前記ゲート線とこれに電気的に接続される複数の前記ゲート引出線との複数の接続部における該接続部同士の間隔と同一である。
【００１７】
本発明に係る表示装置では、前記ゲートドライバは、同一の前記ゲート線に電気的に接続される前記複数のゲート引出線に対して、同一の水平走査期間内に前記ゲート信号を出力する。
【００１８】
本発明に係る表示装置では、前記複数のゲート線のそれぞれは、前記第１方向に隣り合う複数の前記ゲート引出線に電気的に接続される。
【発明の効果】
【００１９】
本発明に係る表示装置の構成によれば、画素の開口率及び表示品位を低下させることなく、狭額縁化を図ることができる。
【図面の簡単な説明】
【００２０】
【図１】実施形態１に係る液晶表示装置の概略構成を示す平面図である。
【図２】ソースドライバ及びソース線の配置を示す平面図である。
【図３】ゲートドライバ及びゲート線の配置を示す平面図である。
【図４】表示パネルの画素領域の概略構成を示す回路図である。
【図５】接続部の位置を模式的に示す平面図である。
【図６】ゲート信号の出力タイミングを示すタイミングチャートである。
【図７】表示パネルの概略構成を示す断面図である。
【図８】表示パネルの概略構成を示す断面図である。
【図９】表示パネルの概略構成を示す断面図である。
【図１０】表示パネルの概略構成を示す断面図である。
【図１１】実施形態２に係る液晶表示装置におけるトランジスタの配置を示す平面図である。
【図１２】実施形態２に係る液晶表示装置におけるトランジスタの配置を示す平面図である。
【図１３】実施形態３に係る液晶表示装置における接続部の配置を示す平面図である。
【図１４】実施形態４に係る液晶表示装置における接続部の配置を示す平面図である。
【図１５】実施形態５に係る液晶表示装置における駆動回路の配置を示す平面図である。
【図１６】実施形態６に係る液晶表示装置における断面図である。
【発明を実施するための形態】
【００２１】
本発明の一実施形態について、図面を用いて以下に説明する。以下では、液晶表示装置を例に挙げるが、本発明に係る表示装置は、液晶表示装置に限定されるものではなく、例えば有機ＥＬ（エレクトロルミネセンス）表示装置等であってもよい。また、以下では、液晶表示装置の複数の形態について説明する。各実施形態において共通する構成部材及び機能については適宜説明を省略する。
【００２２】
［実施形態１］
図１は、実施形態１に係る液晶表示装置の概略構成を示す平面図である。液晶表示装置１００は、主に、表示パネル２００と、表示パネル２００の背面側に配置されるバックライト（図示せず）とを含んで構成されている。表示パネル２００は、領域で大別すると、画像を表示する表示領域３００と、表示領域３００の外側周囲に位置する額縁領域４００とから成る。額縁領域４００は、視聴者から見て表示領域３００の左外側（左辺側）の左側領域４１０と右外側（右辺側）の右側領域４２０と上外側（上辺側）の上側領域４３０と下外側（下辺側）の下側領域４４０とから成る。
【００２３】
額縁領域４００の一辺には、画像表示を行うための駆動回路（ゲートドライバ及びソースドライバ）が設けられる駆動回路領域４５０が含まれる。本液晶表示装置１００では、駆動回路領域４５０は上側領域４３０に含まれる。額縁領域４００における駆動回路領域４５０の場所は限定されず、液晶表示装置１００の構造（縦型又は横型等）に応じて決定される。また、駆動回路領域４５０は、額縁領域４００の一辺のみに含まれてもよいし、表示領域３００を介して対向する二辺に含まれてもよい。また、駆動回路領域４５０は、表示パネル２００の外部に設けられた回路基板に含まれてもよい。駆動回路領域４５０には、ゲートドライバ及びソースドライバの他に、共通電圧発生回路及び制御回路（図示せず）が設けられてもよい。
【００２４】
図２は、ソースドライバ及びソース線の配置を示す平面図である。液晶表示装置１００は、複数のソース線ＳＬと、各ソース線ＳＬに映像信号（ソース信号）を出力するソースドライバ２１０と、を含む。ソースドライバ２１０は、上側領域４３０に配置される。各ソース線ＳＬは、ソースドライバ２１０に接続され、垂直方向（第２方向）に延在する。また、複数のソース線ＳＬは、水平方向（第１方向）に略等間隔に配置される。
【００２５】
図３は、ゲートドライバ及びゲート線の配置を示す平面図である。液晶表示装置１００は、複数のゲート線ＧＬと、複数のゲート引出線ＧＤと、ゲートドライバ２２０と、を含む。ゲートドライバ２２０は、上側領域４３０においてソースドライバ２１０と水平方向に並んで配置される。なお、ゲートドライバ２２０は、上側領域４３０においてソースドライバ２１０と垂直方向に並んで配置されてもよい。各ゲート線ＧＬは、水平方向に延在する。また、複数のゲート線ＧＬは、垂直方向に略等間隔に配置される。各ゲート引出線ＧＤは、電気的にゲートドライバ２２０に接続され、垂直方向に延在する。また、複数のゲート引出線ＧＤは、水平方向に略等間隔に配置される。平面的に見て、ゲート引出線ＧＤは、ゲート線ＧＬに交差し、ソース線ＳＬに重なるように配置される。詳細は後述するが、ソース線ＳＬ、ゲート線ＧＬ及びゲート引出線ＧＤは、絶縁膜を介して互いに異なる層に形成される。
【００２６】
ゲートドライバ２２０は、各ゲート引出線ＧＤに走査信号としてゲート信号を出力する。各ゲート引出線ＧＤは、各ゲート線ＧＬに電気的に接続される。この結果、ゲート信号は、各ゲート引出線ＧＤを通じて、各ゲート線ＧＬへ伝達される。表示パネル２００は、ソース信号とゲート信号とに応じて、表示領域３００に画像を表示する。
【００２７】
ここで、本液晶表示装置１００は、表示領域３００が横長形状となっている。例えば、液晶表示装置１００の画面比（横：縦）は、１６：９、１６：１０、又は１５：１０である。このため、ソース線ＳＬの本数（ｍ本；ＲＧＢ別）及びゲート線ＧＬの本数（ｎ本）の割合（ｍ：ｎ）は、４９：９、４８：１０、又は４５：１０となる。また、１本のゲート線ＧＬに対するソース線ＳＬの本数の割合（ｍ／ｎ）は、５．３本、４．８本、又は４．５本となる。このように液晶表示装置１００は、ソース線ＳＬの本数（ｍ本）がゲート線の本数（ｎ本）よりも多い構成（ｍ＞ｎ）を有する。
【００２８】
図４は、表示パネル２００の画素領域の概略構成を示す回路図である。図４では、説明の便宜上、ゲート引出線ＧＤとソース線ＳＬとを、平面的に見て平行に並んで配置しているが、本液晶表示装置１００の積層構造では、これらは重なって配置される。
【００２９】
表示パネル２００の表示領域３００には、複数（ｎ本）のゲート線ＧＬ及び複数（ｍ本）のソース線ＳＬによって区画された複数の画素領域ＰＡがマトリクス状に配置されている。表示パネル２００は、複数の画素領域ＰＡに形成された複数の画素電極ＰＥと、該複数の画素電極ＰＥに対応する共通電極ＣＥと、各ゲート線ＧＬ及び各ソース線ＳＬの交差部近傍に形成された複数のトランジスタＴＲとを含んでいる。各ゲート引出線ＧＤは、複数のゲート線ＧＬとの複数の交差部のうち１つの交差部において、１本のゲート線ＧＬに電気的に接続される。ゲート引出線ＧＤ及びゲート線ＧＬが電気的に接続する交差部を「接続部ＣＰ」と称す。
【００３０】
接続部ＣＰは、複数のゲート線ＧＬが並ぶ走査方向（垂直方向）と、ゲート引出線ＧＤが並ぶ水平方向とに基づく一定の規則に準じて配置される。また、１本のゲート線ＧＬに対して２箇所の接続部ＣＰが配置される。例えば、図４に示すように、１番目のゲート線ＧＬ１及びゲート引出線ＧＤ１の交差部に接続部ＣＰ１が配置され、２番目のゲート線ＧＬ２及びゲート引出線ＧＤ２の交差部に接続部ＣＰ２が配置され、最終番目（ｎ番目）のゲート線ＧＬ（ｎ）及びゲート引出線ＧＤ（ｎ）の交差部に接続部ＣＰ（ｎ）が配置される。また、ゲート線ＧＬ１及びゲート引出線ＧＤ（ｎ＋１）の交差部に接続部ＣＰ（ｎ＋１）が配置され、ゲート線ＧＬ２及びゲート引出線ＧＤ（ｎ＋２）の交差部に接続部ＣＰ（ｎ＋２）が配置され、ゲート線ＧＬ（ｎ）及びゲート引出線ＧＤ（２ｎ）の交差部に接続部ＣＰ（２ｎ）が配置される。なお、上記「ｎ」は、ゲート線ＧＬの本数を表し、上記「２ｎ」は、ゲート線ＧＬの本数（ｎ本）の２倍の数、及び、ゲート引出線ＧＤの本数を表している。以下の説明においても同様の意味を表す。
【００３１】
このように図４に示す例では、１本のゲート線ＧＬに対して接続部ＣＰが２箇所配置されており、各ゲート線ＧＬには、２本のゲート引出線ＧＤが電気的に接続されている。
【００３２】
図５は、表示領域３００における接続部ＣＰの位置を模式的に示す平面図である。図５に示すように、表示領域３００において、接続部ＣＰ１は左上端に配置され、接続部ＣＰ２は接続部ＣＰ１の右下に配置され、以降、接続部ＣＰ（ｎ）まで右下方向に一列に配置される。また、接続部ＣＰ（ｎ＋１）は、表示領域３００の中央付近の上端に配置され、接続部ＣＰ（ｎ＋２）は接続部ＣＰ（ｎ＋１）の右下に配置され、以降、接続部ＣＰ（２ｎ）まで右下方向に一列に配置される。すなわち、接続部ＣＰ１〜ＣＰ（ｎ）は、各画素領域ＰＡの左上端と右下端を結んだ対角線ＤＬ１上に配置され、接続部ＣＰ（ｎ＋１）〜ＣＰ（２ｎ）は、各画素領域ＰＡの左上端と右下端を結んだ対角線ＤＬ２上に配置される。なお、接続部ＣＰは、対角線ＤＬ１、ＤＬ２が平行になるように配置される。このように、１本のゲート線ＧＬに接続される２個所の接続部ＣＰの間隔は、全てのゲート線において同一である。
【００３３】
次に、ゲートドライバ２２０の駆動方法について説明する。図６は、ゲートドライバ２２０から出力されるゲート信号の出力タイミングを示すタイミングチャートである。ゲートドライバ２２０は、各ゲート線ＧＬに順次ゲート信号（オン電圧、オフ電圧）を供給する。また、各ゲート線ＧＬには２本のゲート引出線ＧＤが電気的に接続されており、ゲートドライバ２２０から出力されるゲート信号は２本のゲート引出線ＧＤを介して１本のゲート線ＧＬに供給される。このため、ゲートドライバ２２０は、２本のゲート引出線ＧＤに対して同時に同一のゲート信号を出力する。
【００３４】
具体的には、ゲートドライバ２２０は、第１水平走査期間においてゲート引出線ＧＤ１、ＧＤ（ｎ＋１）に同時にオン電圧を出力してゲート線ＧＬ１にオン電圧を供給する。続いて、第２水平走査期間においてゲート引出線ＧＤ２、ＧＤ（ｎ＋２）に同時にオン電圧を出力してゲート線ＧＬ２にオン電圧を供給する。続いて、第３水平走査期間においてゲート引出線ＧＤ３、ＧＤ（ｎ＋３）にオン電圧を出力してゲート線ＧＬ３にオン電圧を供給する。このようにして、１番目のゲート線ＧＬ１からｎ番目のゲート線ＧＬ（ｎ）まで、順次ゲート信号（オン電圧、オフ電圧）を供給する。
【００３５】
ソースドライバ２１０は、ゲート信号のオン電圧及びオフ電圧の出力タイミングに合わせて、各ソース線ＳＬにソース信号を出力する。ソースドライバ２１０は周知の構成を適用することができる。
【００３６】
図７〜図９は、表示パネル２００の概略構成を示す断面図である。図７は、ゲート線ＧＬ１とゲート線ＧＬ２の間の画素領域ＰＡを水平方向に切断した場合の断面図を示す。図８は、ゲート線ＧＬ１上を水平方向に切断した場合の断面図を示す。図９は、ゲート線ＧＬ２上を水平方向に切断した場合の断面図を示す。なお、図８及び図９では、薄膜トランジスタ基板（ＴＦＴ基板）の一部を示している。
【００３７】
表示パネル２００は、背面側に配置される薄膜トランジスタ基板（ＴＦＴ基板２３０）と、表示面側に配置され、ＴＦＴ基板２３０に対向するカラーフィルタ基板（ＣＦ基板２４０）と、ＴＦＴ基板２３０及びＣＦ基板２４０の間に挟持される液晶層２５０と、を含んでいる。ＴＦＴ基板２３０には、ガラス基板２３１上にゲート引出線ＧＤが形成され、ゲート引出線ＧＤを覆うように第１絶縁膜２３２が形成され、第１絶縁膜２３２上にゲート線ＧＬが形成され、ゲート線ＧＬを覆うように第２絶縁膜２３３が形成され、第２絶縁膜２３３上にソース線ＳＬが形成される。また、第２絶縁膜２３３上には、その一部がソース線ＳＬ上に重なるように画素電極ＰＥが形成され、画素電極ＰＥを覆うように第３絶縁膜２３４が形成され、第３絶縁膜２３４上に共通電極ＣＥが形成され、ソース線ＳＬ及び共通電極ＣＥを覆うように配向膜２３５が形成される。画素電極ＰＥにはスリットが形成されている。ＣＦ基板２４０には、ガラス基板２４１上にブラックマトリクスＢＭ及びカラーフィルタＣＦが形成され、これらを覆うようにオーバーコート膜２４２が形成され、オーバーコート膜２４２上に配向膜２４３が形成される。ＴＦＴ基板２３０及びＣＦ基板２４０の外側には、偏光板２３６、２４４が形成される。
【００３８】
図８に示すように、ゲート引出線ＧＤ１上において第１絶縁膜２３２にコンタクトホールＣＨ１が形成されており、コンタクトホールＣＨ１内にゲート線ＧＬ１の金属材料が充填されている。コンタクトホールＣＨ１においてゲート引出線ＧＤ１とゲート線ＧＬ１の金属材料とが接触する部分が接続部ＣＰ１となり、接続部ＣＰ１において、ゲート引出線ＧＤ１とゲート線ＧＬ１とが電気的に接続される。また、ゲート引出線ＧＤ（ｎ＋１）上において第１絶縁膜２３２にコンタクトホールＣＨ（ｎ＋１）が形成されており、コンタクトホールＣＨ（ｎ＋１）内にゲート線ＧＬ１の金属材料が充填されている。コンタクトホールＣＨ（ｎ＋１）においてゲート引出線ＧＤ（ｎ＋１）とゲート線ＧＬ１の金属材料とが接触する部分が接続部ＣＰ（ｎ＋１）となり、接続部ＣＰ（ｎ＋１）において、ゲート引出線ＧＤ（ｎ＋１）とゲート線ＧＬ１とが電気的に接続される。このように、ゲート線ＧＬ１は、接続部ＣＰ１、ＣＰ（ｎ＋１）の２箇所において、２本のゲート引出線ＧＤ１、ＧＤ（ｎ＋１）に電気的に接続される。
【００３９】
同様に、図９に示すように、ゲート引出線ＧＤ２上において第１絶縁膜２３２にコンタクトホールＣＨ２が形成されており、コンタクトホールＣＨ２内にゲート線ＧＬ２の金属材料が充填されている。コンタクトホールＣＨ２においてゲート引出線ＧＤ２とゲート線ＧＬ２の金属材料とが接触する部分が接続部ＣＰ２となり、接続部ＣＰ２において、ゲート引出線ＧＤ２とゲート線ＧＬ２とが電気的に接続される。また、ゲート引出線ＧＤ（ｎ＋２）上において第１絶縁膜２３２にコンタクトホールＣＨ（ｎ＋２）が形成されており、コンタクトホールＣＨ（ｎ＋２）内にゲート線ＧＬ２の金属材料が充填されている。コンタクトホールＣＨ（ｎ＋２）においてゲート引出線ＧＤ（ｎ＋２）とゲート線ＧＬ２の金属材料とが接触する部分が接続部ＣＰ（ｎ＋２）となり、接続部ＣＰ（ｎ＋２）において、ゲート引出線ＧＤ（ｎ＋２）とゲート線ＧＬ２とが電気的に接続される。このように、ゲート線ＧＬ２は、接続部ＣＰ２、ＣＰ（ｎ＋２）の２箇所において、２本のゲート引出線ＧＤ２、ＧＤ（ｎ＋２）に電気的に接続される。
【００４０】
上記の構成によれば、ゲート引出線ＧＤとソース線ＳＬとの間に２層の絶縁膜（第１絶縁膜２３２、第２絶縁膜２３３）が介在するため、これらゲート引出線ＧＤとソース線ＳＬの間の容量形成を防ぐことができる。
【００４１】
また、図７〜図９に示すように、各ゲート引出線ＧＤは、その線幅Ｗｄが、各ソース線ＳＬの線幅Ｗｓ以下になるように形成される（Ｗｄ≦Ｗｓ）。例えば、ゲート引出線ＧＤの線幅Ｗｄ及びソース線ＳＬの線幅Ｗｓは、共に３．５ｕｍに設定される。また、各ゲート引出線ＧＤは、平面的に見て、各ソース線ＳＬに重なるように形成される。例えば、各ゲート引出線ＧＤは、その線幅中心が、各ソース線ＳＬの線幅中心と略一致するように形成される。これにより、ゲート引出線ＧＤは、ソース線ＳＬ間の領域（開口領域）に重なることがないため、ゲート引出線ＧＤを設けることによる画素の開口率の低下を防ぐことができる。
【００４２】
ここで、ゲート線ＧＬの線幅Ｗｇは、ソース線ＳＬの線幅Ｗｓ及びゲート引出線ＧＤの線幅Ｗｄよりも大きく、例えば１８．５ｕｍに設定される。一般に、信号に対する抵抗（配線抵抗）は、信号が流れる配線の長さ及び線幅（断面積）に応じて増減する。本液晶表示装置１００では、ゲート線ＧＬの線幅Ｗｇ（＝１８．５ｕｍ）に対して、ゲート引出線ＧＤの線幅（＝３．５ｕｍ）が小さくなっている。このため例えば、１本のゲート引出線ＧＤにおけるゲート信号に対する抵抗は、１本のゲート線ＧＬにおけるゲート信号に対する抵抗の約３倍となる。この結果、表示領域全体で高抵抗となり、表示ムラが生じ得る。この点、本液晶表示装置１００では、１本のゲート線ＧＬに対して２本のゲート引出線ＧＤが電気的に接続される。これにより、１本のゲート線ＧＬに対するゲート引出線ＧＤの合計の線幅（断面積）を増加（ここでは２倍）することができるため、ゲート信号に対する抵抗を低減することができる。よって、表示ムラ等に起因する表示品位の低下を防ぐことができる。
【００４３】
ここで、１本のゲート線ＧＬに電気的に接続されるゲート引出線ＧＤの本数は、２本に限定されず、３本以上であってもよい。例えば、画面比（横：縦）が１６：９の液晶表示装置１００において、１本のゲート線ＧＬに４本のゲート引出線ＧＤが電気的に接続されてもよい。
【００４４】
また、全てのソース線ＳＬの下層にゲート引出線ＧＤが配置されることが好ましい。この構成では、何れかのゲート引出線ＧＤにゲート信号が供給されない構成とすることもできる。例えば、接続部ＣＰが配置されないゲート引出線ＧＤにゲート信号が供給されない構成とすることができる。これにより、表示領域全体で層の高さを均一化することができる。
【００４５】
また、本液晶表示装置１００では、全てのゲート線ＧＬのそれぞれに対して複数のゲート引出線ＧＤが電気的に接続される必要はない。例えば、表示領域３００の上側領域では、１本のゲート線ＧＬに対して１本のゲート引出線ＧＤが電気的に接続され、表示領域３００の中央側領域では、１本のゲート線ＧＬに対して２本のゲート引出線ＧＤが電気的に接続され、表示領域３００の下側領域では、１本のゲート線ＧＬに対して３本のゲート引出線ＧＤが電気的に接続されてもよい。すなわち、ゲートドライバ２２０が設けられる場所から遠い位置に配置されるゲート線ＧＬに対して電気的に接続されるゲート引出線ＧＤの本数が、ゲートドライバ２２０が設けられる場所に近い位置に配置されるゲート線ＧＬに対して電気的に接続されるゲート引出線ＧＤの本数よりも多くなるように構成されてもよい。これにより、表示領域全体で抵抗を均一化することができ、表示品位を高めることができる。
【００４６】
また、図７〜図９に示す構成では、ゲート線ＧＬ及びゲート引出線ＧＤが、第１絶縁膜２３２を介して互いに異なる層に形成されているが、積層構造はこれに限定されない。例えば、ゲート線ＧＬ及びゲート引出線ＧＤが同一層に形成されてもよい。図１０は、ソース線ＳＬ及びゲート引出線ＧＤ１を垂直方向に切断した場合の断面図である。ゲート引出線ＧＤは、ゲート線ＧＬと同一面内において、隣り合う２本のゲート線ＧＬの間に分割して形成される。図１０に示すように、ガラス基板２３１上にゲート線ＧＬ及びゲート引出線ＧＤ１が形成され、これらを覆うように第１絶縁膜２３２が形成され、第１絶縁膜２３２上に、分割されたゲート引出線ＧＤを垂直方向に電気的に接続するためのブリッジ線ＧＢが形成され、ブリッジ線ＧＢを覆うように第２絶縁膜２３３が形成され、第２絶縁膜２３３上にソース線ＳＬ１が形成されてもよい。接続部ＣＰ１では、ゲート引出線ＧＤ１がゲート線ＧＬ１に直接接触する。ブリッジ線ＧＢは、接続部ＣＰ１以外の交差部において、ゲート線ＧＬ２、ＧＬ３を跨ぐように形成される。ブリッジ線ＧＢは、第１絶縁膜２３２に形成されたコンタクトホールＣＨを介して、ゲート線ＧＬの両側に配置された２本の分割されたゲート引出線ＧＤ１を電気的に接続される。
【００４７】
また、図７〜図９に示す構成において、ゲート線ＧＬが形成される層とゲート引出線ＧＤが形成される層が逆の構成でもよい。この場合には、ソース線ＳＬとゲート引出線ＧＤとの間に１層の絶縁膜（第２絶縁膜２３３）だけが介在することになるため、第２絶縁膜２３３の層厚を厚くすることが好ましい。
【００４８】
液晶表示装置１００は実施形態１に限定されず、以下の形態とすることもできる。以下では、実施形態１との相違点を中心に説明する。
【００４９】
［実施形態２］
図１１は、実施形態２に係る液晶表示装置１００におけるトランジスタＴＲの配置を示す平面図である。図１１では、トランジスタＴＲに接続されるゲート線ＧＬ及びソース線ＳＬと、接続部ＣＰの位置とを示している。実施形態２に係る液晶表示装置１００では、接続部ＣＰが配置される画素領域ＰＡにおいて、トランジスタＴＲは、２本のゲート線ＧＬと２本のソース線ＳＬとが交わる４箇所の交差部のうち接続部ＣＰが配置されていない交差部に配置される。例えば、図１１に示すように、トランジスタＴＲ３２は、接続部ＣＰ２が配置される交差部に対して垂直方向に対向する下側の交差部に配置され、トランジスタＴＲ４３は、接続部ＣＰ３が配置される交差部に対して垂直方向に対向する下側の交差部に配置される。
【００５０】
また、表示領域３００において、トランジスタＴＲの配列の規則性は、接続部ＣＰの位置を境界にして変化する。例えば、対角線ＤＬ１、ＤＬ２より垂直方向上側の領域では、トランジスタＴＲは画素領域ＰＡの左上端の交差部に配置され、対角線ＤＬ１、ＤＬ２より垂直方向下側の領域では、トランジスタＴＲは画素領域ＰＡの左下端の交差部に配置される。
【００５１】
上記の構成によれば、接続部ＣＰとトランジスタＴＲとの間の距離を大きくすることができるため、ゲート信号及びソース信号の干渉による電位変動を抑えることができる。なお、実施形態２に係る液晶表示装置１００では、最下端の画素を駆動するためのゲート線ＧＬ（ｎ＋１）が追加されてもよい。
【００５２】
トランジスタＴＲの配置は上記構成に限定されず、図１２に示す構成であってもよい。図１２に示す構成では、対角線ＤＬ１より垂直方向下側の領域では、トランジスタＴＲは画素領域ＰＡの左下端の交差部に配置され、対角線ＤＬ１とＤＬ２の間の領域では、トランジスタＴＲは画素領域ＰＡの左上端の交差部に配置され、対角線ＤＬ１より垂直方向上側の領域では、トランジスタＴＲは画素領域ＰＡの右上端の交差部に配置される。なお、この構成では、最右端の画素にソース信号を供給するためのソース線ＳＬ（ｍ＋１）が追加されていてもよい。
【００５３】
［実施形態３］
図１３は、実施形態３に係る液晶表示装置１００における接続部ＣＰの配置を示す平面図である。実施形態１に係る液晶表示装置１００では、接続部ＣＰは、対角線ＤＬ１、ＤＬ２が平行になるように配置されているが（図５参照）、実施形態３に係る液晶表示装置１００では、図１３に示すように、接続部ＣＰは、対角線ＤＬ１、ＤＬ２が平行にならないように配置されている。例えば、図１３に示すように、表示領域３００において、接続部ＣＰ１は左下端に配置され、接続部ＣＰ２は接続部ＣＰ１の右上に配置され、各接続部ＣＰは、右上がりの対角線ＤＬ１上に配置される。また、接続部ＣＰ（ｍ）は、表示領域３００の右下端に配置され、接続部ＣＰ（ｍ−１）は接続部ＣＰ（ｍ）の左上に配置され、各接続部ＣＰは、右下がりの対角線ＤＬ２上に配置される。上記「ｍ」は、ソース線ＳＬの本数を表す。
【００５４】
ここで、１本のゲート線ＧＬに対して２本のゲート引出線ＧＤが電気的に接続される構成において、ゲート線ＧＬの本数（ｎ本）の２倍の数（２ｎ）が、ソース線ＳＬの本数（ｍ本）よりも少なくなる場合（ｎ＜ｍ）、接続部ＣＰに重ならないソース線ＳＬが存在することになる。換言すると、全てのソース線ＳＬの下層にゲート引出線ＧＤを配置する場合、ゲート信号が出力されない（接続部ＣＰを有さない）ダミーのゲート引出線ＧＤが存在することになる。この場合は、接続部ＣＰを表示領域３００の両端側から配置し、中央側の領域に接続部ＣＰが配置されないように構成することが好ましい。図１３の例では、中央側の３本のソース線ＳＬ及びゲート引出線ＧＤには、接続部ＣＰが配置されないように構成されている。
【００５５】
上記のように、表示領域３００の中央から両側に離れるほど、ゲートドライバ２２０から接続部ＣＰまでの距離が長くなるように接続部ＣＰを配置する。上記の構成によれば、表示領域全体で抵抗を均一化することができ、表示品位を高めることができる。
【００５６】
［実施形態４］
図１４は、実施形態４に係る液晶表示装置１００における接続部ＣＰの配置を示す平面図である。実施形態４に係る液晶表示装置１００では、１本のゲート線ＧＬに電気的に接続される複数（所定数）のゲート引出線ＧＤが、ゲートドライバ２２０側の表示領域外において１本に束ねられる。例えば、図１４に示すように、ゲート線ＧＬ１に電気的に接続されるゲート引出線ＧＤ１〜４が１本の結束線ＧＣ１に束ねられ、ゲート線ＧＬ２に電気的に接続されるゲート引出線ＧＤ５〜８が１本の結束線ＧＣ２に束ねられ、ゲート線ＧＬ３に電気的に接続されるゲート引出線ＧＤ９〜１２が１本の結束線ＧＣ３に束ねられる。このように、各ゲート線ＧＬは、水平方向に隣り合う複数のゲート引出線ＧＤに電気的に接続される。
【００５７】
上記の構成によれば、ゲートドライバ２２０に接続される配線（結束線ＧＣ及び斜め配線）の本数を減らすことができるため、駆動回路領域４５０の配線数を減らすことができる。また、表示領域３００の外周の領域は、液晶材をシールするためのシール領域となる。上記の構成によれば、配線数を減らすことができるためシール領域を広く確保することができる。
【００５８】
［実施形態５］
図１５は、実施形態５に係る液晶表示装置１００における駆動回路の配置を示す平面図である。実施形態５に係る液晶表示装置１００では、ゲートドライバ２２０が、第１ゲートドライバ２２１と第２ゲートドライバ２２２を含んでいる。例えば、図１５に示すように、第１ゲートドライバ２２１は、ゲート引出線ＧＤ１〜ＧＤ（ｎ）にゲート信号を出力し、第２ゲートドライバ２２２は、ゲート引出線ＧＤ（ｎ＋１）〜ＧＤ（２ｎ）にゲート信号を出力する。なお、第１ゲートドライバ２２１及び第２ゲートドライバ２２２は、同一のタイミングで駆動するように制御されており、例えば、ゲート引出線ＧＤ１、ＧＤ（ｎ＋１）に同時に同一のゲート信号を出力する。
【００５９】
ゲートドライバの数は、限定されず、１本のゲート線ＧＬに電気的に接続されるゲート引出線ＧＤの数に応じて設けることができる。例えば、１本のゲート線ＧＬに対して３本のゲート引出線ＧＤが電気的に接続される場合、３つのゲートドライバを設けることができる。また、複数のソースドライバと複数のゲートドライバを有する場合は、これらを左右に交互に配置することが好ましい。
【００６０】
［実施形態６］
図１６は、実施形態６に係る液晶表示装置１００における断面図である。図１６は、ゲート線ＧＬ１上を水平方向に切断した場合の断面図を示す。実施形態６に係る液晶表示装置１００のＴＦＴ基板２３０には、ガラス基板２３１上に第１ゲート引出線ＧＤａが形成され、第１ゲート引出線ＧＤａを覆うように第１絶縁膜２３２が形成され、第１絶縁膜２３２上にゲート線ＧＬが形成され、ゲート線ＧＬを覆うように第２絶縁膜２３３が形成され、第２絶縁膜２３３上に第２ゲート引出線ＧＤｂが形成され、第２ゲート引出線ＧＤｂを覆うように第４絶縁膜２３７が形成され、第４絶縁膜２３７上にソース線ＳＬが形成される。また図１６に示すように、第１ゲート引出線ＧＤａ１上において第１絶縁膜２３２にコンタクトホールＣＨ１ａが形成されており、コンタクトホールＣＨ１ａ内にゲート線ＧＬ１の金属材料が充填されている。また、ゲート線ＧＬ１上において第２絶縁膜２３３にコンタクトホールＣＨ１ｂが形成されており、コンタクトホールＣＨ１ｂ内にゲート引出線ＧＤｂ１の金属材料が充填されている。コンタクトホールＣＨ１ａ、ＣＨ１ｂにおいてゲート引出線ＧＤａ１、ＧＤｂ１とゲート線ＧＬ１の金属材料とが接触する部分が接続部ＣＰ１となり、接続部ＣＰ１において、２本のゲート引出線ＧＤａ１、ＧＤｂ１とゲート線ＧＬ１とが電気的に接続される。
【００６１】
このように、２本のゲート引出線ＧＤが平面視で重なり、これらが１箇所の接続部ＣＰにおいて１本のゲート線ＧＬに電気的に接続されてもよい。この構成によれば、ゲート線ＧＬの本数（ｎ本）がソース線ＳＬの本数（ｍ本）よりも多くなる（ｎ＞ｍ）、例えば表示領域３００が縦長形状の液晶表示装置にも適用することができる。
【００６２】
上記各実施形態に係る液晶表示装置は、互いの構成を組み合わせることもできる。また、各液晶表示装置は、様々な形態の液晶表示装置に適用することもできる。
【００６３】
例えば、隣り合う２本のゲート線ＧＬを同時に駆動する所謂２ライン同時駆動の液晶表示装置に適用することもできる。この場合は、各ゲート引出線ＧＤが、垂直方向に隣り合う２個所の接続部ＣＰにおいて、隣り合う２本のゲート線に電気的に接続される構成とすることができる。
【００６４】
また、表示領域を上下に分割して駆動する所謂上下分割駆動の液晶表示装置に適用することもできる。この場合は、各ゲート引出線ＧＤが、上側領域の接続部ＣＰにおいて１本のゲート線ＧＬに電気的に接続され、下側領域の接続部ＣＰにおいて他の１本のゲート線ＧＬに電気的に接続される構成とすることができる。
【００６５】
以上、本発明の一実施形態について説明したが、本発明は上記各実施形態に限定されるものではなく、本発明の趣旨を逸脱しない範囲内で上記各実施形態から当業者が適宜変更した形態も本発明の技術的範囲に含まれることは言うまでもない。
【符号の説明】
【００６６】
１００  液晶表示装置、２００  表示パネル、３００  表示領域、４００  額縁領域、４１０  左側領域、４２０  右側領域、４３０  上側領域、４４０  下側領域、４５０  駆動回路領域、２１０  ソースドライバ、２２０  ゲートドライバ、２２１  第１ゲートドライバ、２２２  第２ゲートドライバ、２３０  ＴＦＴ基板、２３１  ガラス基板、２３２  第１絶縁膜、２３３  第２絶縁膜、２３４  第３絶縁膜、２３５  配向膜、２３６  偏光板、２３７  第４絶縁膜、２４０  ＣＦ基板  ２４１  ガラス基板、２４２  オーバーコート膜、２４３  配向膜、２４４  偏光板、ＧＬ  ゲート線、ＳＬ  ソース線、ＧＤ  ゲート引出線、ＣＰ  接続部、ＰＥ  画素電極、ＣＥ  共通電極、ＴＲ  トランジスタ、ＤＬ  対角線、ＧＣ  結束線、ＢＭ  ブラックマトリクス、ＣＦ  カラーフィルタ、ＣＨ  コンタクトホール。
【図１】
2016071082.tif 000003
【図２】
2016071082.tif 000004
【図３】
2016071082.tif 000005
【図４】
2016071082.tif 000006
【図５】
2016071082.tif 000007
【図６】
2016071082.tif 000008
【図７】
2016071082.tif 000009
【図８】
2016071082.tif 000010
【図９】
2016071082.tif 000011
【図１０】
2016071082.tif 000012
【図１１】
2016071082.tif 000013
【図１２】
2016071082.tif 000014
【図１３】
2016071082.tif 000015
【図１４】
2016071082.tif 000016
【図１５】
2016071082.tif 000017
【図１６】
2016071082.tif 000018